(57)【要約】【課題】開閉体の上昇を適切に規制できる開閉装置を提供する。【解決手段】開閉装置は、開口部３に沿って昇降して開口部３を開閉する開閉体１３を備え、開閉体１３の下端部には開閉体孔部２５を形成する。開閉体１３の下端部には、開閉体１３の上昇を規制する規制位置および開閉体１３の上昇を許容する許容位置間で移動する移動体３１を設ける。移動体３１には移動体孔部３３を形成する。開閉装置は、開口部３の閉鎖時に孔部２５，３３との係合により開閉体１３の上昇を規制するとともに孔部３３との係合により移動体３１の許容位置への移動を規制する規制体４１を備える。【選択図】        図１
2005016220.tif 000002
【特許請求の範囲】
【請求項１】
開口部に沿って昇降して前記開口部を開閉する開閉体と、
この開閉体に形成された開閉体孔部と、
前記開口部の閉鎖時に前記開閉体孔部との係合により前記開閉体の上昇を規制する規制体と
を備えることを特徴とする開閉装置。
【請求項２】
開閉体孔部は、前記開閉体の下端部を構成する中空部材の室内側板部に形成されている
ことを特徴とする請求項１記載の開閉装置。
【請求項３】
開閉体に移動可能に設けられ、前記開閉体の上昇を規制する規制位置および前記開閉体の上昇を許容する許容位置間で移動する移動体と、
この移動体に形成された移動体孔部とを備え、
規制体は、開口部の閉鎖時に前記開閉体孔部との係合により前記開閉体の上昇を規制するとともに前記移動体孔部との係合により前記移動体の許容位置への移動を規制する
ことを特徴とする請求項１または２記載の開閉装置。
【請求項４】
開口部に沿って昇降して前記開口部を開閉する開閉体と、
この開閉体に移動可能に設けられ、前記開閉体の上昇を規制する規制位置および前記開閉体の上昇を許容する許容位置間で移動する移動体と、
この移動体に形成された移動体孔部と、
前記開口部の閉鎖時に前記移動体孔部との係合により前記開閉体の上昇および前記移動体の許容位置への移動を規制する規制体と
を備えることを特徴とする開閉装置。
【発明の詳細な説明】
【０００１】
【発明の属する技術分野】
本発明は、開閉体の上昇を適切に規制できる開閉装置に関する。
【０００２】
【従来の技術】
従来、例えば互いに離間対向した左右一対のガイドレールと、ガイドレールにて案内されつつ開口部に沿って昇降して開口部を開閉する開閉体と、開閉体の下端部に設けられたロックバーと、ガイドレールの下端部に回動可能に設けられロックバーと係合して開閉体の上昇を規制するストッパーとを備えた開閉装置が知られている（例えば、特許文献１参照。）。
【０００３】
【特許文献１】
実公平６−３１００号公報（第１頁、図１）
【０００４】
【発明が解決しようとする課題】
しかしながら、上記従来の開閉装置のように、ロックバーとストッパーとの係合によって開閉体の上昇を規制する構成では、開閉体の上昇を適切に規制することができないおそれがある。
【０００５】
本発明は、このような点に鑑みなされたもので、開閉体の上昇を適切に規制できる開閉装置を提供することを目的とする。
【０００６】
【課題を解決するための手段】
請求項１記載の開閉装置は、開口部に沿って昇降して前記開口部を開閉する開閉体と、この開閉体に形成された開閉体孔部と、前記開口部の閉鎖時に前記開閉体孔部との係合により前記開閉体の上昇を規制する規制体とを備えるものである。
【０００７】
そして、開閉体孔部との係合により開閉体の上昇を規制する規制体を備えるため、開閉体の上昇が適切に規制される。
【０００８】
請求項２記載の開閉装置は、請求項１記載の開閉装置において、開閉体孔部は、前記開閉体の下端部を構成する中空部材の室内側板部に形成されているものである。
【０００９】
そして、開閉体孔部は、開閉体の下端部を構成する中空部材の室内側板部に形成されているため、開閉体の上昇がより一層適切に規制される。
【００１０】
請求項３記載の開閉装置は、請求項１または２記載の開閉装置において、開閉体に移動可能に設けられ、前記開閉体の上昇を規制する規制位置および前記開閉体の上昇を許容する許容位置間で移動する移動体と、この移動体に形成された移動体孔部とを備え、規制体は、開口部の閉鎖時に前記開閉体孔部との係合により前記開閉体の上昇を規制するとともに前記移動体孔部との係合により前記移動体の許容位置への移動を規制するものである。
【００１１】
そして、規制体は、開口部の閉鎖時に開閉体孔部との係合により開閉体の上昇を規制するとともに移動体孔部との係合により移動体の許容位置への移動を規制するため、開閉体の上昇が効果的に規制される。
【００１２】
請求項４記載の開閉装置は、開口部に沿って昇降して前記開口部を開閉する開閉体と、この開閉体に移動可能に設けられ、前記開閉体の上昇を規制する規制位置および前記開閉体の上昇を許容する許容位置間で移動する移動体と、この移動体に形成された移動体孔部と、前記開口部の閉鎖時に前記移動体孔部との係合により前記開閉体の上昇および前記移動体の許容位置への移動を規制する規制体とを備えるものである。
【００１３】
そして、開閉体に設けられた移動体に形成された移動体孔部との係合により開閉体の上昇および移動体の許容位置への移動を規制する規制体を備えるため、開閉体の上昇が適切に規制される。
【００１４】
【発明の実施の形態】
以下、本発明の開閉装置の一実施の形態の構成を図面を参照して説明する。
【００１５】
図３において、１は開閉装置で、この開閉装置１は、例えば建物２に形成された略矩形状の窓開口である開口部３の室外側部分を開閉する手動式の窓シャッタである。なお、建物２には、開口部３の室内側部分を開閉するサッシ装置（図示せず）が設けられている。
【００１６】
そして、開閉装置１は、図１および図３に示されるように、開口部３の側端に沿って位置する上下方向に長手状の左右一対の２本のガイドレール（縦枠）５を備えている。両ガイドレール５は、開口部３を介して互いに離間対向して配置されている。各ガイドレール５には、開口部３に向って開口した横断面略コ字状の上下方向のガイド溝部６が形成されている。また、各ガイドレール５には、上下方向に細長い略矩形状の平板部７がガイド溝部６より室内側で開口部３に面して位置するようにガイド溝部６に隣接して形成されている。なお、各ガイドレール５は、例えば建物２に取り付けられた外枠８と、この外枠８に取り付けられたレール枠９とにて構成されている。
【００１７】
また、開閉装置１は、図示しないが、開口部３の下端に沿って位置する左右方向に長手状の被当接部である１本の下枠（横枠）を備えており、この下枠は、両ガイドレール５の下端部間にわたって配置されている。
【００１８】
さらに、開閉装置１は、開口部３の上端に沿って位置し下方に向って開口した左右方向に長手状で略箱形状の収容ケース（シャッタボックス）１２を備え、この収容ケース１２は、両ガイドレール５の上端部間にわたって配置されている。
【００１９】
この収容ケース１２内には、左右方向の回転中心軸線を中心として回転する左右方向に長手状で略円筒状の巻軸等の巻体（図示せず）が配置されている。
【００２０】
そして、この巻体には、開口部３に沿って下端部が下枠に当接するまで下降して開口部３の室外側部分を閉鎖し、開口部３に沿って上昇して開口部３の室外側部分を開口させる可撓性を有する面状の開閉体（シャッタカーテン）１３が設けられている。
【００２１】
すなわち、開口部３の閉鎖時には、巻体からの巻戻しにより両側端部（左右方向両端部）がガイド溝部６にて案内されつつ下端部が下枠に当接するまで下降して開口部３に沿った略平板状の閉状態となって開口部３の室外側部分を閉鎖し、開口部３の開口時には、巻体の巻取りにより両側端部がガイド溝部６にて案内されつつ上昇して略円筒状の開状態となって収容ケース１２内に収容されて開口部３の室外側部分を開口させる開閉体１３の上端側が巻体に取り付けられている。
【００２２】
ここで、開閉体１３は、例えば互いに回動自在に連結された複数の開閉体構成部材であるスラット１５と、下端のスラット１５に回動自在に連結され開閉体１３の下端部を構成する中空状の下端部材である幅木（中空部材）１６とを有している。なお、この幅木１６が開口部３の閉鎖時に下枠に当接する当接部となっている。
【００２３】
そして、幅木１６は、例えば左右方向に長手状で中空状に一体に形成され、この幅木１６の左右方向両端部が挿入部１７となってガイドレール５のガイド溝部６内に挿入されている。
【００２４】
また、幅木１６は、それぞれが左右方向に細長い矩形板状をなす互いに離間対向した室内側板部２１および室外側板部２２を有し、室内側板部２１および室外側板部２２の上端部間が上板部２３にて連結され、室内側板部２１および室外側板部２２の下端部間が下板部２４にて連結されている。また、幅木１６の室内側板部２１の左右方向両端近傍には、室内側に向って開口した上下方向に細長い長孔状の開閉体孔部である孔部２５がそれぞれ形成されている（図２参照）。なお、幅木１６の左右方向両端近傍に形成された左右一対で２つの孔部２５は、室内側板部２１にのみ前後方向に貫通して形成されており、室外側からは見えないようになっている。
【００２５】
さらに、幅木１６には、略板状をなす左右一対の移動体３１が左右方向に移動可能に設けられている。
【００２６】
そして、各移動体３１は、係合受け体３２に対して進退するもので、操作レバー体（図示せず）の操作に基づき、開口部３の閉鎖時に係合受け体３２との係合により開閉体１３の上昇を規制する規制位置と開口部３の閉鎖時に係合受け体３２とは係合せず開閉体１３の上昇を許容する許容位置との間で移動するようになっている。
【００２７】
移動体３１が開口部３の閉鎖時において規制位置に位置した状態では、移動体３１の先端側は、幅木１６の側面から突出して係合受け体３２の下方に位置する。一方、移動体３１が開口部３の閉鎖時において許容位置に位置した状態では、移動体３１の先端側は、幅木１６内に収容されて係合受け体３２の下方に位置しない。
【００２８】
また、各移動体３１は、図示しないばね等の付勢体によって規制位置へ移動する方向に付勢されている。さらに、各移動体３１には、開口部３の閉鎖時であって移動体３１が規制位置に位置した状態時に、開閉体１３の幅木１６の孔部２５と前後方向に対向して位置する上下方向に細長い長孔状の移動体孔部である孔部３３が形成されている。この移動体３１の孔部３３と開閉体１３の孔部２５とは、略同じ形状で大きさに形成されている。
【００２９】
なお、ラッチ錠である係合受け体３２は、室内側からみて下部に水平の底辺を有し上部に頂角を有する略三角形状をなすもので、対応するガイドレール５のガイド溝部６の下端部に固着されている。また、係合受け体３２には、傾斜状の案内板部３４が形成されている。
【００３０】
また一方、開閉装置１は、開口部３の閉鎖時であって移動体３１が規制位置に位置した状態時に、両孔部２５，３３内に挿入された状態で、開閉体１３の孔部２５および移動体３１の孔部３３との係合により開閉体１３の上昇を規制するとともに、移動体３１の孔部３３との係合により移動体３１の許容位置への移動を規制する略板状の左右一対の規制体（施錠体）４１を備えている。
【００３１】
各規制体４１は、対応するガイドレール５の平板部７の下端部に保持部材４２を介して前後方向（開閉体１３の厚さ方向）に移動可能に設けられている。また、各規制体４１は、例えば中間の一箇所で折り曲げられた板部材４３にて一体に構成されている。
【００３２】
そして、各規制体４１は、保持部材４２にて平板部７に沿って前後方向に移動可能に保持された略垂直状の本体部である本体板部４５を有し、この本体板部４５の後端部（室内側の端部）からは操作部である摘み板部４６が側方に向って突出している。
【００３３】
この本体板部４５の前端部（室外側の端部）が、開口部３の閉鎖時であって移動体３１が規制位置に位置した状態時に、互いに前後方向に対向した両孔部２５，３３内に挿脱自在に挿入される挿入部４７となっている。
【００３４】
なお、開閉体１３の下端部に設けられた移動体３１と、ガイドレール５の下端部に設けられた係合受け体３２とにて、開閉体１３を下端位置（閉鎖位置）にロックするための第１ロック手段（主錠）５１が構成されている。また、開閉体１３の下端部に形成された孔部２５と、移動体３１に形成された孔部３３と、ガイドレール５の下端部に設けられた規制体４１とにて、開閉体１３を下端位置にロックしかつ移動体３１を規制位置にロックするための第２ロック手段（補助錠）５２が構成されている。
【００３５】
次に、上記一実施の形態の開閉装置１の作用等を説明する。
【００３６】
開口部３を閉鎖する場合、開閉体１３を巻体から巻き戻しつつ開口部３に沿って下降させ、開閉体１３の幅木１６を下枠に当接させる。
【００３７】
この開閉体１３の下降途中で、左右の移動体３１は、いずれも、ガイドレール５に固定された係合受け体３２の案内板部３４にて押されることにより付勢体の付勢力に抗して許容位置まで一旦移動するが、係合受け体３２の案内板部３４から離れた後には、付勢体の付勢力により規制位置に復帰する。こうして第１ロック手段５１によるロックが自動的にかかる。
【００３８】
そして、この開口部３の閉鎖時において、第１ロック手段５１によるロックに加えて、さらに第２ロック手段５２によるロックをかける場合、つまり２重ロックをかける場合は、室内側からの手動操作により、左右の規制体４１をそれぞれ前方（室外側）に向けて移動させ、各規制体４１の挿入部４７を互いに前後方向に対向した両孔部２５，３３内に差し込む。
【００３９】
すると、図２に示す２重ロック状態となり、この２重ロック状態では、例えば室外側から開閉体１３を無理やり持ち上げようとしても、移動体３１と係合受け体３２との係合と、規制体４１の挿入部４７と開閉体１３の孔部２５および移動体３１の孔部３３との係合とによって、開閉体１３の上昇が規制される。
【００４０】
また、この２重ロック状態では、例えば室外側から無理やり移動体３１を規制位置から許容位置に移動（左右方向に沿って移動）させようとしても、規制体４１の挿入部４７と移動体３１の孔部３３との係合とによって、移動体３１の許容位置への移動が規制される。
【００４１】
なお、開口部３を開口させる場合は、左右の規制体４１をそれぞれ後方（室内側）に向けて移動させ、各規制体４１の挿入部４７を両孔部２５，３３内から抜いた後、操作レバー体の操作で左右の移動体３１を許容位置へ移動させてから、開閉体１３を開口部３に沿って上昇させる。
【００４２】
そして、このような開閉装置１によれば、規制体４１が、開口部３の閉鎖時に両孔部２５，３３との係合により開閉体１３の上昇を規制するとともに孔部３３との係合により移動体３１の許容位置への移動を規制するため、開閉体１３を下端位置に２重ロックできるとともに移動体３１を規制位置にロックでき、よって、開閉体１３の上昇を効果的に規制でき、防犯性の向上を図ることができる。また、規制体４１による規制位置を室外側からは特定できないことからも、防犯性に優れている。
【００４３】
なお、開閉装置１は、保持部材４２にて前後方向に移動可能に保持された略板状の規制体４１と、この規制体４１の挿入部４７が挿入される上下方向の長孔状の両孔部２５，３３とを備えるものには限定されず、例えば、図４に示すように、略Ｌ字状の溝４２ａが形成された略円筒状の保持部材４２にて溝４２ａに沿って前後方向に移動可能でかつ周方向に回動可能に保持された略円柱状の規制体４１と、この規制体４１の挿入部４７が挿入される略円形状の両孔部２５，３３とを備えるものでも、上記開閉装置１と同様の作用効果を奏し得る。
【００４４】
この図４に示す規制体４１は、保持部材４２の内側に嵌合された本体板部４５を有し、この本体板部４５からはピン状の操作部４６が突出し、この操作部４６が溝４２ａ内に挿通されている。そして、この操作部４６を溝４２ａのうち周方向に沿った部分内に位置させることにより、規制体４１の前後方向の移動を規制でき、両孔部２５，３３に対する規制体４１の挿入状態を適切に維持できる。
【００４５】
また、例えば図５に示すように、ガイドレール５の下端部に左右方向の支軸５３を中心として上下回動可能に設けられた略Ｊ字状の規制体４１と、この規制体４１の挿入部４７が挿入される上下方向の長孔状の両孔部２５，３３とを備えるものでも、上記開閉装置１と同様の作用効果を奏し得る。なお、この図５に示す略Ｊ字状の規制体４１は、支軸５３を中心とする下方回動により両孔部２５，３３内に挿入されて両孔部２５，３３と引掛り係合するため、両孔部２５，３３に対する規制体４１の挿入状態が適切に維持される。
【００４６】
さらに、規制体４１は、開口部３の閉鎖時に両孔部２５，３３との係合により開閉体１３の上昇を規制するとともに孔部３３との係合により移動体３１の許容位置への移動を規制するものには限定されず、例えば図示しないが、規制体４１は、開口部３の閉鎖時に開閉体１３の孔部２５および移動体３１の孔部３３のうちいずれか一方との係合により開閉体１３の上昇を規制するとともに移動体３１の孔部３３との係合により移動体３１の許容位置への移動を規制するもの等でもよい。例えば規制体４１が、開口部３の閉鎖時に移動体３１の孔部３３との係合のみにより開閉体１３の上昇および移動体３１の許容位置への移動を規制するようにしてもよい。
【００４７】
また、開閉体１３の孔部２５は、空間部分と開閉体１３の空間部分に臨んだ環状部分とにて構成されたものには限定されず、例えば図示しないが、上方或いは下方に向って開口した切欠状のもの等でもよい。また同様に移動体３１の孔部３３を切欠状に形成してもよい。さらに、孔部２５，３３は、規制体４１の挿入部４７が嵌合により挿入されるように挿入部４７に対応した形状に形成してもよい。
【００４８】
さらに、開閉装置１は、左右一対で２つの規制体４１を備えたものには限定されず、例えばそのうちの１つだけを備えたもの等でもよい。
【００４９】
また、規制体４１を移動或いは回動等させるシリンダ等の駆動手段を設けて、規制体４１による規制が自動的に行われるようにしてもよい。
【００５０】
また、規制体４１をガイドレール５の外側に配設した構成には限定されず、見栄えをよくするために規制体４１をガイドレール５の内側に配設した構成とすることもできる。この場合、例えば規制体４１と対応する位置に孔部２５，３３を設けるとともに、規制体４１の操作部４６をガイドレール５の外側から操作可能とする。
【００５１】
さらに、開閉装置１は、窓開口である開口部３の周囲等に固定された窓シャッタには限定されず、例えば、図示しないが、その他の開口部の周囲に固定された他のシャッタ装置、ブラインド装置、スクリーン装置、オーバーヘッドドア装置等、或いは、これら装置のうちの同種または異種を複数並設したものでもよい。
【００５２】
【発明の効果】
請求項１の発明によれば、開閉体の孔部との係合により開閉体の上昇を規制する規制体を備えるため、開閉体の上昇を適切に規制できる。
【００５３】
請求項２の発明によれば、開閉体の孔部は、開閉体の下端部を構成する中空部材の室内側板部に形成されているため、開閉体の上昇をより一層適切に規制できる。
【００５４】
請求項３の発明によれば、規制体は、開口部の閉鎖時に開閉体の孔部との係合により開閉体の上昇を規制するとともに移動体の孔部との係合により移動体の許容位置への移動を規制するため、開閉体の上昇を効果的に規制できる。
【００５５】
請求項４の発明によれば、開閉体に設けられた移動体の孔部との係合により開閉体の上昇および移動体の許容位置への移動を規制する規制体を備えるため、開閉体の上昇を適切に規制できる。
【図面の簡単な説明】
【図１】本発明の開閉装置の一実施の形態を示す要部斜視図である。
【図２】同上開閉装置の要部断面図である。
【図３】同上開閉装置の全体斜視図である。
【図４】本発明の開閉装置の他の実施の形態を示す要部斜視図である。
【図５】本発明の開閉装置のさらに他の実施の形態を示す要部斜視図である。
【符号の説明】
１    開閉装置
３    開口部
１３    開閉体
１６    中空部材である幅木
２１    室内側板部
２５    開閉体孔部である孔部
３１    移動体
３３    移動体孔部である孔部
４１    規制体
【図１】
2005016220.tif 000003
【図２】
2005016220.tif 000004
【図３】
2005016220.tif 000005
【図４】
2005016220.tif 000006
【図５】
2005016220.tif 000007